(57)【要約】【課題】  容易でかつ確実に原稿の読取精度を向上させ、低騒音にて高品質の画像形成装置を提供する。【解決手段】  シート材搬送手段を二つ以上有し、搬送駆動手段からなる給紙装置に於いて、シート材搬送手段に各々搬送量を検出可能な搬送量検出手段を設ける。【選択図】  図１
2006240804.tif 000002
【特許請求の範囲】
【請求項１】
シート材搬送手段を少なくとも二つ以上有し、搬送駆動手段からなる給紙装置に於いて、
前記シート材搬送手段に各々搬送量を検出可能な搬送量検出手段を設けたことを特徴とした給紙装置。
【請求項２】
原稿の画像情報を読取る読取手段と、前記読取手段の原稿搬送方向上流に配設する第１の原稿搬送手段と、原稿搬送方向下流に配設する第２原稿搬送手段と、搬送駆動手段とを有する画像形成装置に於いて、
前記第１原稿搬送手段の搬送量を検出可能な第１搬送量検出手段と、第２原稿搬送手段の搬送量を検出可能な第２搬送量検出手段を有することを特徴とした画像形成装置。
【請求項３】
前記搬送量検出手段、前記第１及び第２搬送量検出手段は、光学センサと、前記搬送手段に同期駆動もしくは略同期駆動し、かつ前記光学センサの光路を遮るスリット部材からなり、前記光学センサと前記スリット部材との対を複数有することを特徴とした請求項１乃至２記載の給紙装置及び画像形成装置。
【請求項４】
前記第１の原稿搬送手段の原稿搬送方向近傍に原稿端検出手段を設け、前記第1搬送量検出手段から得られる出力信号に同期して前記読取手段の動作制御を行い、前記原稿端検出手段の出力信号により、前記第２搬送量検出手段から得られる出力信号に切換え、かつ同期して前記読取手段の動作を行うことを特徴とした請求項２乃至３記載の画像形成装置。
【請求項５】
前記搬送動源は直流モータであることを特徴とした請求項１〜４記載の給紙装置及び画像形成装置。
【請求項６】
前記搬送手段及び前記原稿搬送手段は、ローラであることを特徴とした請求項１〜５記載の給紙装置及び画像形成装置。
【発明の詳細な説明】
【技術分野】
【０００１】
本発明は、原稿の画像情報を読取るとともに、画像を形成し、画像を送信する画像通信装置及び画像通信方法及び、紙などの記録媒体に記録する画像形成装置に関するものである。
【背景技術】
【０００２】
今日、情報処理システムの発達に伴い、種々の情報処理機器が開発されている。これら機器のうち、シート材を搬送することで、記録及び読取る装置が数多くユーザーへと浸透しており、コピー機やスキャナやファクシミリ装置等の情報処理機器は、オフィスのみならず、一般家庭においても広く使用されるようになっている。
【０００３】
これら情報処理機器に用いられる給紙系は、主にローラによるシート材搬送を行う機器が多い。
【０００４】
従来例として、等倍光学系を用いた原稿読取装置の一例を図７に示す。
【０００５】
電気基板（制御基板２０１、主電源２０２）、読取部２０３、オペレーション部２０４等によって構成されている。
【０００６】
読取部２０３は、原稿２１１をセットし積載するための原稿トレー２０５、原稿搬送路をガイドする上原稿ガイド２０６、下原稿ガイド２０７、複数枚の原稿を順次送り出す原稿分離部２０８、光電変換素子を用いたコンタクトセンサ２０９、前記コンタクトセンサ２０９の対向上面に原稿の背景色（バックグランドカラー）となる読取基準板２１０を取り付いている。
【０００７】
原稿２１１の搬送経路としては、まず、原稿分離ローラ２１２と予備搬送板２１３とに挟まれた原稿は摩擦片２１４により、１枚ずつ搬送される。そして原稿２１１は、給送ローラ２１５と対向コロ２１６によりコンタクトセンサ２０９と読取基準板２１０との間を通過して、排紙ローラ２１７と対向コロ２１８により、図中記載の矢印方向に排出される。
【０００８】
原稿排紙側には、通紙による原稿の静電気を除去／軽減する除電ブラシ２２０が配設してある。
【０００９】
また、ＣＳホルダ２０９ａは本体フレーム２１９に保持されており、前記読取基準板２１０は、自重もしくは図示するバネ等によりコンタクトセンサ２０９側に付勢するよう構成されている。
【００１０】
又、従来例としては、例えば特許文献１と特許文献２をあげることが出来る。
【特許文献１】特開平８−２２８２５８号公報
【特許文献２】特開平１１−２６３４６４号公報
【発明の開示】
【発明が解決しようとする課題】
【００１１】
前記原稿読取装置は、一般にシートフィードタイプと呼ばれ、原稿が移動して読取る構成となっている。
【００１２】
前述した装置では、給送ローラ対２１５、２１６と排紙ローラ対２１７、２１８により原稿搬送を行っており、原稿の搬送状態としては、以下に示す状態が存在する。
【００１３】
（１）給送ローラのみでの搬送→原稿先端が排紙ローラに至るまでの間
（２）給送ローラ＋排紙ローラでの搬送
（３）排紙ローラのみでの搬送→原稿後端が給送ローラから抜けてから排紙されるまで
（（１）〜（３）では、説明を簡素化するため、分離ローラは原稿搬送には寄与していないよう構成してある。）
また、原稿をメインに搬送するローラを給送ローラ２１５と排紙ローラ２１７のどちらかに設定することが一般的であり、本従来例では給送ローラがメイン搬送ローラとしての役割を持っている。
【００１４】
この時、給送ローラと排紙ローラの原稿搬送力は以下の式にて示すことができる。
【００１５】
（４）Ｆ（給送ローラ）＞Ｆ（排紙ローラ）
また、ローラの作成工程上搬送量を決める外形寸法には、若干の寸法バラツキ（通常±０．０４ｍｍ、精度重視でも±０．０２ｍｍ）が存在してしまう。
【００１６】
そのため、給送ローラと排紙ローラの搬送量を同一とすることは難しいのである。
【００１７】
以下に給送ローラと排紙ローラの原稿搬送量の式を示す。
【００１８】
（５）Ｖ（給送ローラ）≦Ｖ（排紙ローラ）
こうすることで、排紙ローラを原稿に対して滑らせながら搬送しており、給送ローラ２１５と排紙ローラ２１７により原稿２１１が搬送されている（２）の状態に於いて、常に原稿にテンションが張られた状態となり、前述読取手段（コンタクトセンサ）２０９に密着させている。
【００１９】
このため、給送ローラと排紙ローラが何回転もした後で原稿搬送状態（２）から（３）へと切換わる瞬間に、滑りながら原稿搬送していた排紙ローラの搬送負荷が一気に開放される。この時原稿は一瞬の間に、排紙ローラの搬送量を超えて搬送しまい、原稿搬送精度が著しく低下させていた。
【００２０】
そのため、読取での画像劣化が著しくなってしまうという問題があった。
【００２１】
特にスキャナ機能では、一度読取った画像をＰＣにて、モニター上で何倍にも拡大出来、１画素単位で確認することも出来る。
【００２２】
この場合には、シート材の搬送精度の低下が著しく、ライン毎のズレや重なり等の発生を確認することが出来てしまった。
【００２３】
また、前述問題を解決するために、原稿が給送ローラより抜ける前の（２）の状態にて読取を終了させることができるが、この場合には原稿後端まで画像を読取れないため、完全な対策とは言えないものであった。
【００２４】
また駆動源としては、ステッピングモータを使用し、ギアトレインにて構成した駆動系とする場合が多く、モータの回転量にて給送ローラ２１５の搬送量を制御している。そのため、最小回転角度（ステップ角）が決まっているステッピングモータでは、一つの解像度系に合せて構成となっている。
【００２５】
また従来の駆動源ステッピングモータは、読取搬送系の負荷が増大すると脱調（回転しなくなる）してしまう特性がある。
【００２６】
通常、脱調させないように安全係数（通常約１．５〜２倍）をかけたトルク設定にて制御している。
【００２７】
そのため、原稿搬送時には余分なトルクを持ったまま回転駆動制御されており、余分なトルク（エネルギー）はモータの温度上昇や騒音へと変化し、特に騒音はユーザーにとっては必要の無いものである。
【００２８】
そこで本発明の課題は、装置本体を大きくすることなく、容易でかつ確実に原稿の読取精度を向上させた高品質の画像形成装置を提供することにある。
【課題を解決するための手段】
【００２９】
本発明に係わる画像形成装置の第１の構成は、シート材搬送手段を少なくとも二つ以上有し、搬送駆動手段からなる給紙装置に於いて、前記シート材搬送手段に各々搬送量を検出可能な搬送量検出手段を設けたことを特徴とする。
【００３０】
本発明に係わる画像形成装置の第２の構成は、原稿の画像情報を読取る読取手段と、前記読取手段の原稿搬送方向上流に配設する第１の原稿搬送手段と、原稿搬送方向下流に配設する第２原稿搬送手段と、搬送駆動手段とを有する画像形成装置に於いて、前記第１原稿搬送手段の搬送量を検出可能な第１搬送量検出手段と、第２原稿搬送手段の搬送量を検出可能な第２搬送量検出手段を有することを特徴とする。
【００３１】
本発明に係わる画像形成装置の第３の構成は、第１、２の構成に於いて、前記搬送量検出手段、前記第１及び第２搬送量検出手段は、光学センサと、前記搬送手段に同期駆動もしくは略同期駆動し、かつ前記光学センサの光路を遮るスリット部材からなり、前記光学センサと前記スリット部材との対を複数有することを特徴とする。
【００３２】
本発明に係わる画像形成装置の第４の構成は、第２、３の構成に於いて、前記第１の原稿搬送手段の原稿搬送方向近傍に原稿端検出手段を設け、前記第1搬送量検出手段から得られる出力信号に同期して前記読取手段の動作制御を行い、前記原稿端検出手段の出力信号により、前記第２搬送量検出手段から得られる出力信号に切換え、かつ同期して前記読取手段の動作を行うことを特徴とする。
【００３３】
本発明に係わる画像形成装置の第５の構成は、第１〜４の構成に於いて、前記搬送動源は直流モータであることを特徴とする。
【００３４】
本発明に係わる画像形成装置の第３の構成は、第１〜５の構成に於いて、前記搬送手段及び前記原稿搬送手段は、ローラであることを特徴とする。
【発明の効果】
【００３５】
以上説明したように本発明によれば、副走査方向の読取精度を向上させるためにローラの外径精度を厳しくする必要がなくなり、コストを低減させることが出来る。またモータ単体の温度の上昇を防ぎ、更に騒音レベルを一段低い装置とすることが出来る。
【００３６】
また、装置本体を大きくすることなく、容易でかつ確実に原稿の読取精度を向上させた高品質の画像形成装置を提供することが出来る。
【発明を実施するための最良の形態】
【００３７】
以下、図を参照して本発明による画像形成装置の実施の形態を詳細に説明する。
【００３８】
［第一実施例］
図１は本発明の最も特徴となるところの読取駆動連結を示す斜視図であり、図２は、本発明の第１実施例における原稿読取装置の全体構造を示す断面図である。
【００３９】
図１、２に於いて、この原稿読取装置の本体シャーシ１と、装置の制御を行う制御基板２と、装置へ電力供給を行う電源ユニット３と、装置の操作を行う操作パネル４と、操作パネル４の制御基板５と、原稿６を積載するための原稿台７が配置されている。
【００４０】
原稿６は、原稿台７と原稿補助台８とに積載され、原稿の幅方向を規制する幅規制板９により幅方向のガイドが行われる。複数枚ある原稿６は、分離ローラ１０が図示する矢印方向に駆動モータＭ（本実施例ではＤＣモータを使用）により回転し、予備搬送板１１が分離ローラ１０側に付勢することで、摩擦片１２と分離ローラ１０とのくさび形状の場所まで搬送される。そして摩擦片１２により複数枚ある原稿６は１枚ずつ捌かれ、給送ローラ１３ａが図示する矢印方向にＤＣモータＭにより回転し、対向する補助コロ１３ｂの付勢力を得て搬送される。原稿搬送ガイド１４は、分離ローラ１０から後述するコンタクトセンサ１５まで原稿６のガイドをする。
【００４１】
コンタクトセンサ取付け板１５ｂに取付けられたコンタクトセンサ１５の上部には、原稿のバックグランドカラーとなり、また読取に於ける白基準となる読取基準板１６をコンタクトセンサ１５の読取幅全域に渡り覆うようの幅で構成している。またコンタクトセンサ１５の内部には、原稿６を照射する光源（本実施例ではＬＥＤを使用）を配置している。そしてコンタクトセンサ１５に読取られた原稿６を、排紙ローラ１７ａが図示する矢印方向に図示しない駆動モータにより回転し、対向する補助コロ１７ｂの付勢力を得てこの画像読取装置外、図示する矢印ａ方向に排出する。
【００４２】
本実施例のコンタクトセンサ１５の読取解像度は、主走査方向３００ｄｐｉである。そのため、ファクシミリ送信画像に変換する場合には、主走査方向はミリ／インチ変換を行い、画像の歪みを修正してから送信を行っている。
【００４３】
次に本発明の最も特徴となるところの駆動連結について説明する。
【００４４】
給送ローラ１３ａには、スリット板１３ｃが固定されており、給送ローラ１３ａが回転することにより、スリット板１３ｃも回転する構成となっている。また、両スリット板を挟み込む様に、フォトセンサ１３ｄを取付けている。
【００４５】
さらに排紙ローラ１７ａには、スリット板１７ｃが固定されており、排紙ローラ１７ａが回転することにより、スリット板１７ｃも回転する構成となっている。また、両スリット板を挟み込む様に、フォトセンサ１７ｄを取付けている。
【００４６】
この時スリット板１３ｃの開口スリット１３ｃ１の間隔は、主走査方向３００ｄｐｉのコンタクトセンサ１５の解像度に合わせ、３００ｄｐｉ（０．０８４ｍｍ＝３００ｄｏｔ／２５．４ｍｍ）の副走査１Ｌｉｎｅ分に設定しており、給送ローラ１３ａ（本実施例ではφ１６ｍｍ）の搬送量と同期している。
【００４７】
またスリット板１７ｃの開口スリット１７ｃ１の間隔も給送ローラ１３ａ同様には、３００ｄｐｉ（０．０８４ｍｍ＝３００ｄｏｔ／２５．４ｍｍ）の副走査１Ｌｉｎｅ分に設定しており、給送ローラ１７ａ（本実施例ではφ１２ｍｍ）の搬送量と同期している。
【００４８】
画像読取としては、給送ローラ対１５ａ、ｂと排紙ローラ対１７ａ、ｂにより原稿搬送を行っており、原稿の搬送状態としては、以下に示す状態が存在する。
【００４９】
（１）給送ローラのみでの搬送→原稿先端が排紙ローラに至るまでの間
（２）給送ローラ＋排紙ローラでの搬送
（３）排紙ローラのみでの搬送→原稿後端が給送ローラから抜けてから排紙されるまで
（（１）〜（３）では、説明を簡素化するため、分離ローラは原稿搬送には寄与していないよう構成してある。）
上記（１）ないし（２）の原稿の搬送状態での画像読取としては、給送ローラ１３ａがスリット板１３ｃの回転をフォトセンサ１３ｄにより検出し、その検出信号に合せてコンタクトセンサ１５の読取制御を行っている。
【００５０】
また上記（３）の原稿の搬送状態での画像読取としては、スリット板１７ｃの回転をフォトセンサ１７ｄにより検出し、その検出信号に合せてコンタクトセンサ１５の読取制御を行っている。
【００５１】
このように給送ローラ１３ａと排紙ローラ１７ａそれぞれに搬送量検出機構を設けることで、原稿搬送状態（１）〜（３）に至るまでの間、つまり原稿を読取っている状態では、搬送精度の常に安定させ、ライン毎のズレや重なり等の発生を未然に防ぐことが出来る。
【００５２】
即ち忠実でかつ等倍の画像を得ることが出来る。
【００５３】
こうすることで、副走査方向の読取精度を向上させるためにローラ間同士の外径精度を厳しくする必要がなくなる。
【００５４】
また本実施例では、駆動源としてＤＣモータを使用しているので、原稿搬送時には余分なトルクを持つことないため、ステッピングモータを使用した時の余分なトルク（エネルギー）が無くなるので、モータ単体の温度の上昇を防ぎ、騒音レベルを一段低い装置とすることが出来る。
【００５５】
これにより、装置本体を大きくすることなく、容易でかつ確実に原稿の読取精度を向上させた高品質の画像形成装置を提供することが出来る。
【００５６】
［第二実施例］
図３は、本発明の第２実施例のファクシミリ機能と外部ＰＣに取り込めるスキャナ機能を有する複合装置の全体構造を示す断面図であり、図４は同装置の外観斜視図である。
【００５７】
なお、以下の各実施例に係わる複合装置の記録系としては、一般にインクジェット記録装置と称されるものを採用している。
【００５８】
まず、図３及び図４により複合装置の全体構成を説明する。
【００５９】
この複合装置は、図３に示すように、記録シ−トを供給する給紙系Ａと、記録装置としての記録系Ｂと、原稿に記載された画像を読取るための読取系Ｃと、操作部Ｄによって構成され、本体上カバー１０１と、本体下カバー１０２と装置の制御を行う制御基板１０２ａと、装置に電力供給する電源ユニット１０２ｂを配置している。
【００６０】
最初に本発明の特徴となる読取系Ａについて説明する。
【００６１】
読取系Ｃは原稿１０３に光を照射してその反射光を電気信号に変換し、この信号を操作モードに応じて他機に伝送し、又は自己の記録系Ｂに伝送するものである。
【００６２】
詳細に説明をすると、原稿１０３は原稿台１０４と原稿補助トレー１０５に積載され、原稿幅規制板１０６ａ、ｂにより搬送時の幅方向への斜行等を防ぐ。
【００６３】
複数枚ある原稿１０３は、分離ローラ１０７が図示する矢印方向に第１実施例記載のＤＣモータＭにより回転し、予備搬送板１０８が分離ローラ１０７側に付勢することで、摩擦片１０９分離ローラ１０７とのくさび形状の場所まで搬送される。そして摩擦片１０９により複数枚ある原稿１０３は１枚ずつ捌かれ、給送ローラ１１０ａが図示する矢印方向に図示しない駆動モータにより回転し、対向する補助コロ１１０ｂの付勢力を得て搬送される。原稿搬送ガイド１１１は、分離ローラ１０７から後述するコンタクトセンサ１１２まで原稿１０３のガイドをする。
【００６４】
コンタクトセンサ取付板１１２ａに取付けられたコンタクトセンサ１１２の上部には、原稿のバックグランドカラーとなり、また読取に於ける絶対白となる読取基準板１１３をコンタクトセンサ１１２の読取幅全域に渡り覆うようの幅で構成している。またコンタクトセンサ１１２の内部には、原稿１０３を照射する図示しない光源（本実施例ではＬＥＤを使用）を配置している。そしてコンタクトセンサ１１２に読取られた原稿１０３を、排紙ローラ１１４ａが図示する矢印方向に第１実施例同様のＤＣモータにより回転し、対向する補助コロ１１４ｂの付勢力を得てこの画像読取装置外、図示する矢印ｆ方向に排出する。そして、原稿排紙トレー１１５に積載される。また原稿排紙トレー１１５は図４記載の矢印方向に移動可能に構成しており、読取動作以外の時は、機内に収納するようになっている。
【００６５】
本実施例のコンタクトセンサ１５の読取解像度は、主走査方向３００ｄｐｉである。そのため、ファクシミリ送信画像に変換する場合には、主走査方向はミリ／インチ変換を行い、画像の歪みを修正してから送信を行って第一実施例と同様の構成を取っている。
【００６６】
次に本発明の最も特徴となるところの駆動連結について説明する。変換についても第一実施例と同様の構成を取っているが、本実施例ではファクシミリ装置であるので、以下の解像度に設定している。
【００６７】
第１実施例では、副走査方向３００ｄｐｉの解像度に設定したが、ファクシミリのスーパファイン（０．０６５ｍｍ＝１５．４Ｌｉｎｅ／１ｍｍ）の副走査１Ｌｉｎｅ分に給送ローラスリット幅、排紙ローラスリット幅それぞれ設定しており、それぞれのローラの搬送量と同期させている。
【００６８】
次に操作部Ｄについて説明する。
【００６９】
操作部Ｄは、コピー操作、送信操作、スキャナ操作等の操作を行うためのものである。操作カバー１１６にダイアルキー１１６ａ等各種操作に応じたキーや表示部１１６ｂが設けられている。この操作部Ｄは、読取系Ｃに於ける原稿搬送機構の上部に設けられており、本複合装置に対して図５示す矢印ｇ方向に回動可能に構成されている。尚、操作部Ｄの一方端側には送信・受信を行う電話回線様モジュラ１０２ｃ１が装備されている。
【００７０】
次に給紙系Ａについて説明する。
【００７１】
記録シート１２０としては、普通紙やプラスチックシート等及びその他の材質であって、インクを転写し得るものを用いることが可能である。本実施例では、Ｂ４サイズ又はＡ４サイズにカットされた普通紙を記録シート１２０として用いる。そして記録シート１２０（以後記録紙と称す）は、本体上カバー１０１の背面に設けてある記録紙高さ規制板１０１ａにより、記録紙トレー１２１と矢印方向に引出し可能な記録紙補助トレー１２２とに限られた枚数が収納積載される。また記録紙サイドガイド１２３が記録紙１２０の幅方向の規制をしている。また図３に於いて、記録紙１２０の底部に構成している圧板１２４は、図示しない回転軸を中心に回動可能に支持され、図示しない駆動系により１回転制御され、圧板ばね１２４ａにより記録紙１２０を給紙ローラ１２５へ接し搬送するようばね性を持って構成している。給紙ローラ１２５が図示する矢印方向に回転駆動することにより搬送された記録紙１２５は、爪分離により捌かれ、１枚ずつ記録部Ｂへと搬送される。
【００７２】
次に記録系Ｂについて説明をする。
【００７３】
本ファクシミリ装置の記録系としては、一般にインクジェット記録装置と称されるものを採用している。
【００７４】
図５に於いて、記録系Ｂは他機から伝送された画信号、或いは後述する読取系Ｃから伝送された画信号に応じて、給紙系Ａより供給された記録紙１２０に画像を記録するものである。
【００７５】
詳細に説明をすると、記録紙押え１２６は、ＬＦローラ１２７側に押圧されてあり給紙系Ａより搬送された記録シート１２０の上ガイドを兼ねながら、ピンチローラ１２６ａをＬＦローラ１２７に対向させている。そして記録カートリッジ１２８とプラテン板１２９との間を記録シート１２０が搬送され、記録カートリッジ１２８により記録動作を行う。本実施例に於いては、図示しないモータ及び駆動系により記録カートリッジ１２８は、記録シート１２０の幅方向に対して移動しながらシリアル印字するよう構成している。そして印字記録後の記録シート１２０は、排紙ローラ１３０ａと対向する拍車ローラ１３０ｂにより印字面を汚さないように記録シート１２０を矢印ｅ方向に機外へと搬送し、排紙カバー１３１と図６記載の矢印方向に移動可能な排紙補助トレーへ１３２と積載する。
【００７６】
また図５に於いて、原稿積載台１０４が本体上カバー１０１の図示しない回転中心により矢印ｈ方向に回転可能に支持してある。そして、記録カートリッジ１２８を矢印ｉ方向に着脱可能にしている。
【００７７】
次に、図６は、本実施例装置の制御系を示すブロック図である。
【００７８】
図６に於いて、この複合装置の制御する制御部１０２ａと、このファクシミリ装置全体に電力を供給する電源ユニット１０２ｂと、モデム基板ユニット１０２ａ１と、電話機を接続する通信基板ユニット１０２ｃと、操作部Ｄから入力した内容等を表示する表示部１１６ｂ等が配置されている。
【００７９】
上記制御部１０２ａは、本装置全体の制御を行うＣＰＵ１０２ａ２と、各種プログラムや各種データ等を格納したＲＯＭ１０２ａ３と、上記ＣＰＵ１０２ａ２のワークエリアとして使用されると共に、記録枚数等の各種データの一時保存を行うことや、各種データの保管登録するＲＡＭ１０２ａ４、また入出力切換インターフェース１０２ａ８等を有する。
【００８０】
また、１０２ａ５は画像データの各ラインのイメージを格納するラインメモリであって、原稿の送信若しくはコピーの場合は原稿読取系Ｃからの１ライン分のイメージデータが格納され、画像データの受信の場合には複号された１ライン分のデータが格納される。そして上記ラインメモリ１０２ａ５に格納された画像データは、ＣＰＵ１０２ａ２を通り記録系制御コードを追加して入出力切換インターフェース１０２ａ８から記録系Ｂの有するＣＰＵＢ１に出力され、ＣＰＵＢ１が前記記録系制御コードを解読することによって、画像記録が行われる。
【００８１】
また、１０２ａ６は送信する画像情報をＭＨ符号化等のより符号化したり、受信した符号化画像データを複号化してイメージデータに変換する符号化／複号化部である。１０２ａ７は送受信された符号化画像データを格納するバッファメモリである。
【００８２】
そして、周辺コンピュータＥより、プリンタインターフェース１０２ａ９を介して画像データやテキストデータを記録系Ｂへと出力出来、また読取系Ｃより読取った画像データを周辺コンピュータＥへと取り込むことが出来る。
【００８３】
［第三実施例］
次に前述した複合装置に於ける各部の他の実施例について説明する。
【００８４】
前述した実施例では、インクジェット記録方式を記録手段として構成したが、トナーを使用する電子写真記録方式（レーザービームプリンター）、若しくはインクシートとサーマルヘッドを使用する熱転写記録方式等で構成してもよいことは当然である。
【００８５】
また前述した実施例では、コンタクトセンサを読取手段としたが、光源とＣＣＤを用いた縮小光学系で構成してもよいことは当然である。
【００８６】
また、前述した実施例では、給紙系の機構は爪分離方式を使用したが、摩擦分離やリタード分離等の他の分離方式で構成してもよいことは当然である。
【図面の簡単な説明】
【００８７】
【図１】本発明を最も良く示す第１実施例における原稿読取装置の駆動連結部の外観斜視図説明図である。
【図２】本発明を最も良く示す第１実施例における原稿読取装置の全体構造説明図である。
【図３】第２実施例における複合装置の全体構造説明図である。
【図４】第２実施例における複合装置の外観斜視図説明図である。
【図５】第２実施例における複合装置の全体構造説明図２である。
【図６】第２実施例における複合装置の記録制御のブロック説明図である。
【図７】従来例の原稿読取装置の全体構造説明図である。
【符号の説明】
【００８８】
１  本体シャーシ
２  制御基板
３  電源ユニット
４  操作パネル
５  操作パネル制御基板
６  原稿
７  原稿台
８  原稿補助台
９  幅規制板
１０  分離ローラ
１１  予備搬送板
１２  摩擦片
１３ａ  給送ローラ
１３ａ１  ローラ軸
１３ｂ  補助コロ
１３ｃ  スリット板
１３ｅ  フォトセンサ
１４  原稿搬送ガイド
１５  コンタクトセンサ
１５ｂ  コンタクトセンサ取付板
１６  読取基準板
１７ａ  排紙ローラ
１７ｂ  補助コロ
１７ｃ  スリット板
１７ｄ  フォトセンサ
Ａ  給紙系
Ｂ  記録系
Ｃ  読取系
Ｄ  操作部
Ｅ  周辺コンピュータ
Ｍ  ＤＣモータ
１０１  本体上カバー
１０２  本体下カバー
１０２ａ  制御部
１０２ａ１  モデム基板ユニット
１０２ａ２  ＣＰＵ
１０２ａ３  ＲＯＭ
１０２ａ４  ＲＡＭ
１０２ａ５  ラインメモリ
１０２ａ６  符号化／複号化部
１０２ａ７  バッファメモリ
１０２ａ８  入出力切換インターフェース
１０２ａ９  プリンタインターフェース
１０２ｂ  電源ユニット
１０２ｃ  通信基板ユニット
１０２ｃ１  モジュラ
１０３  原稿
１０４  原稿台
１０５  原稿補助トレー
１０６ａ  原稿幅規制板
１０６ａ  原稿幅規制板
１０７  分離ローラ
１０８  予備搬送板
１０９  摩擦片
１１０ａ  給送ローラ
１１０ｂ  補助コロ
１１１  原稿搬送ガイド
１１２  コンタクトセンサ
１１３  読取基準板
１１４ａ  排紙ローラ
１１４ｂ  補助コロ
１１５  原稿排紙トレー
１１６  操作カバー
１１６ａ  ダイアルキー
１１６ｂ  表示部
１１７ａ  搬送ローラ
１１７ｂ  補助コロ
１１８ａ  排出ローラ
１１８ｂ  排出ローラ
１２０  記録シート
１２１  記録紙トレー
１２２  記録紙補助トレー
１２３  記録紙サイドガイド
１２４  圧板
１２５  給紙ローラ
１２６  記録紙押え
１２７  ＬＦローラ
１２８  記録カートリッジ
１２９  プラテン板
１３０ａ  排紙ローラ
１３０ｂ  拍車ローラ
１３１  排紙カバー
１３２  排紙補助トレー
【図１】
2006240804.tif 000003
【図２】
2006240804.tif 000004
【図３】
2006240804.tif 000005
【図４】
2006240804.tif 000006
【図５】
2006240804.tif 000007
【図６】
2006240804.tif 000008
【図７】
2006240804.tif 000009